(57)【要約】  キー操作に関して使い勝手のよい加熱調理器を提供する。  加熱調理器は、機器上面に操作部（７ａ、８ａ）と表示部（７ｂ、８ｂ）を有する。操作部（７ａ、８ａ）は、複数の制御モードの中から一つを選択するためのモード選択キー（２１）と、設定出力及び設定温度を増加及び低下させるための出力増減キー（２２、２３）と、タイマーで加熱する時間を増加及び低下させるための時間増減キー（２４、２５）と、含む。モード選択キー（２１）と時間増減キー（２４、２５）は、出力増減キー（２２、２３）の両側に分離される。表示部（７ｂ、８ｂ）は、選択された制御モードにおける設定値を数値で表示する数字表示部（２６）と、設定出力を表示する出力表示部（２７）と、モード選択キーで選択される調理モードを表示するモード表示部（２８）と、を含む。数字表示部（２６）とモード表示部（２８）は、出力表示部（２７）の両側に分離される。
2009001543.tif 000002
【特許請求の範囲】
【請求項１】
機器上面に設けられた天板と、
前記被加熱物を加熱する加熱部と、
前記被加熱物が所定の設定出力で加熱されるように前記加熱部を制御する加熱モードを含む複数の制御モードの中から選択された制御モードで調理されるように前記加熱部の加熱出力を制御する制御部と、
機器上面に設けられた操作部と、
機器上面に設けられた表示部と、
前記複数の制御モードのいずれかにおいて所定の設定時間加熱されるように時間をカウントするタイマーと、
を備え、
前記操作部は、
前記複数の制御モードの中から一つを選択するためのモード選択キーと、
前記設定出力及び設定温度を増加及び低下させるために設けられた出力増減キーと、
前記タイマーで加熱する時間を増加及び低下させるために設けられた時間増減キーと、
を備え、
前記表示部は、選択された前記制御モードにおける設定値を数値で表示する数字表示部と、
前記設定出力を表示する出力表示部と、
前記モード選択キーで選択される調理モードを表示するモード表示部と、
を備え、
前記数字表示部は前記時間増減キーの近傍に配置され、前記出力表示部は前記出力増減キーの近傍に配置され、前記モード選択キーと前記時間増減キーを前記出力増減キーの両側に配設し、前記数字表示部と前記モード表示部が前記出力表示部の両側に配置されるようにした加熱調理器。
【請求項２】
前記操作部は、加熱開始キーをさらに備え、
前記制御部は、複数の制御モードのうちいずれかをモード選択キーで選択後に、前記加熱開始キーを操作した場合のみ前記加熱部の加熱を開始可能とするとともに、
被加熱物が所定の設定温度になるように前記加熱部の加熱出力を制御する制御モードである温度調節モードを有し、
前記モード選択キーにより前記温度調節モードが選択されると前記温度調節モードが選択されたことを前記モード表示部に表示し、前記温度調節モードが選択された後、前記加熱開始キーで加熱開始がおこなわれた時点以後に、前記温度調節モードにおける設定温度を前記数字表示部に表示して前記出力増減キーにより前記設定温度を変更可能とする、請求項１に記載の加熱調理器。
【請求項３】
加熱開始及び加熱停止をするための切入キーを前記出力増減キーに対して前記モード選択キー側に設けた請求項１に記載の加熱調理器。
【請求項４】
電源スイッチと、加熱を開始するための加熱開始キーと、をさらに備え、
前記電源投入後、前記モード選択キーのみ操作することが可能であり、
前記モード選択キーにより、いずれかの制御モードが選択されるまでは、前記モード選択キー以外の操作キーによる操作ができず、かつ
前記モード選択キーでいずれかの制御モードを選択後に、前記加熱開始キーを操作することが、前記加熱部での加熱が開始される必要条件である、請求項１に記載の加熱調理器。
【請求項５】
前記時間増減キーを示す記号と前記出力増減キーを示す記号を異ならせた、請求項１から請求項４のいずれかの請求項に記載の加熱調理器。
【発明の詳細な説明】
【技術分野】
【０００１】
本発明は、機器上面に操作部を有する加熱調理器に関する。
【背景技術】
【０００２】
従来の加熱調理器は、加熱出力の設定を変更するための出力変更部の近傍に設けられた出力表示部と、温度調節時間を増加させる機能のみを有する一つまたは複数の時間増加キーと、時間増加キーの近傍に設けられた時間表示用の数字表示部と、数字表示部の近傍に設けられた揚げ物調理時の油温を自動調節する温度調節モード等の調理モードを設定するための調理モード選択キーと、温度調節モード時の設定温度を表示する温度表示等の時間表示以外の少なくとも１つの設定値の変更を、出力増加キーおよび出力減少キーで行いその変更結果を時間表示用の数字表示部で共用しておこなうとともに、数字表示部の近傍に選択された調理モードを示すモード表示部を設けていた（例えば、特許文献１参照）。
【特許文献１】特開２００３−１８５１５２号公報
【発明の開示】
【発明が解決しようとする課題】
【０００３】
しかしながら、前記従来の構成では、時間増加キーが時間の増加方向にしか調節できないため、使い勝手が悪かった。この問題を解消するために、時間を低減する機能を有するキーを追加することが考えられる。例えば、一組の設定時間を増加するための時間増加キー及び設定時間を低減するための時間低減キー（以下「時間増減キー」ともいう）を設ける場合が考えられる。【０００４】
しかし、時間増減キーを設けると、温度調節モード等のタイマーで時間設定ができない調理モードが選択された場合、モード表示部が数字表示部の近傍にあるために、時間増減キーを使用して時間設定ができる、と誤って認識される可能性が高いという問題点があった。【０００５】
また、時間増加キーを時間変更専用とする代わりに、設定温度の変更を時間増減キーで共用することが考えられる。しかし、この場合、時間増減と出力変更のいずれが機能するかがわからなくなり使用者をさらに混乱させるおそれがあった。【０００６】
このように、従来の加熱調理器は、キー操作に関して使い勝手が悪かった。【０００７】
本発明は、前記従来の課題を解決するものであり、キー操作に関して使い勝手が良い加熱調理器を提供することを目的とする。例えば、キーの総数を減らしキー構成を簡素化し、さらにタイマー増減キーがタイマー機能専用のものであることを視認し易くする。
【課題を解決するための手段】
【０００８】
従来の課題を解決するため、本発明の加熱調理器は、機器上面に設けられた天板と、天板上に載置された被加熱物を加熱する加熱部と、被加熱物が所定の設定出力で加熱されるように加熱部を制御する加熱モードを含む複数の制御モードの中から選択された制御モードで調理されるように加熱部の加熱出力を制御する制御部と、機器上面に設けられた操作部及び表示部と、複数の制御モードのいずれかにおいて所定の設定時間加熱されるように時間をカウントするタイマーとを備える。操作部は、複数の制御モードの中から一つを選択するためのモード選択キーと、設定出力及び設定温度を増加及び低下させるために設けられた出力増減キーと、タイマーで加熱する時間を増加及び低下させるために設けられた時間増減キーとを備える。表示部は、選択された制御モードにおける設定値を数値で表示する数字表示部と、設定出力を表示する出力表示部と、モード選択キーで選択される調理モードを表示するモード表示部とを備える。数字表示部は時間増減キーの近傍に配置され、出力表示部は出力増減キーの近傍に配置され、モード選択キーと時間増減キーを出力増減キーの両側に配設し、数字表示部とモード表示部が出力表示部の両側に配置される。これにより、モード選択キーと時間増減キーが出力増減キーの部分で分離され、かつ数字表示部とモード表示部が出力表示部の部分で分離される。よって、モード表示部と出力増減キーとの距離を、モード表示部と時間増減キーとの距離よりも短くなる。そのため、時間増減キーと、モード選択キーで選択されモード表示部で表示される制御モードとの視覚的な関連性を小さくするとともに、出力増減キーと、モード選択キーで選択されモード表示部で表示される制御モードの視覚的な関連性を大きくすることができる。したがって、出力増減キーで加熱モード以外の制御モードの設定変更をおこなえることが認識しやすくなる。したがって、温度調節モードが選択されたとき、使用者が誤って時間増減キーを操作する可能性を少なくすることができ使い勝手を向上させることができる。【０００９】
操作部は、加熱開始キーをさらに備えてもよい。制御部は、複数の制御モードのうちいずれかをモード選択キーで選択後に、加熱開始キーを操作した場合のみ加熱部の加熱を開始可能してもよい。被加熱物が所定の設定温度になるように加熱部の加熱出力を制御する制御モードである温度調節モードを有し、モード選択キーにより温度調節モードが選択されると温度調節モードが選択されたことをモード表示部に表示し、温度調節モードが選択された後、加熱開始キーで加熱開始がおこなわれた時点以後に、温度調節モードにおける設定温度を数字表示部に表示して出力増減キーにより設定温度を変更してもよい。これにより、モード選択キーで選択されモード表示部で表示される制御モードにおける、時間増減キーと、数字表示部の表示との関連性を視覚的に低くし、使用者に時間増減キーが当該選択された制御モードで使用できないことをさらに強く認識させることができる。【００１０】
加熱開始及び加熱停止をするための切入キーを出力増減キーに対してモード選択キー側に設けてもよい。これにより、さらに、時間増減キーが時間調整専用であることを強調することができる。【００１１】
加熱調理器は、電源スイッチと、加熱を開始するための加熱開始キーをさらに備えてもよい。電源投入後、モード選択キーのみ操作することが可能とし、モード選択キーにより、いずれかの制御モードが選択されるまでは、モード選択キー以外の操作キーによる操作ができず、かつモード選択キーでいずれかの制御モードを選択後に、加熱開始キーを操作することが加熱部での加熱が開始される必要条件としてもよい。電源投入後、加熱開始までに少なくとも２回の操作が必要となり安全性が向上するとともに、従来のロック解除キーを省くことができ、操作キーの数を低減することができる。【００１２】
時間増減キーを示す記号と出力増減キーを示す記号を異ならせてもよい。これにより、時間増減キーが時間調整専用であることを強調することができる。
【発明の効果】
【００１３】
本発明によれば、時間設定のできない調理モードにおける設定数値の表示とタイマー設定時間の表示を共通の数字表示部で行うことにより、数字表示部を簡素化している。また、設定タイマーの時間設定を増減できるようにして時間設定を容易にしている。また、タイマー設定ができ加熱出力を設定するための加熱モードとタイマー設定ができない調理モードを含む複数の調理モードの選択を一つのキーでおこない、設定時間の変更以外の設定の変更を出力増減キーでおこなうようにしてキーの総数を減らしキー構成を簡素化している。さらに、タイマー増減キーがタイマー機能専用のものであることを視認し易くしている。よって、キー操作に関して使い勝手がよい。
【図面の簡単な説明】
【００１４】
【図１】本発明の実施形態における誘導加熱調理器の斜視図
【図２】同誘導加熱調理器の模式断面図
【図３】同誘導加熱調理器の要部平面図
【符号の説明】
【００１５】
１  本体
２  天板
３  左誘導加熱部表示
４  右誘導加熱部表示
７ａ  左上面操作部
７ｂ  左上面表示部
８ａ  右上面操作部
８ｂ  右上面表示部
１０  電源スイッチ
１２  被加熱物
１３  左加熱コイル
１４  左インバータ
１５  左誘導加熱部
１６  左制御部
２０  左切入キー（加熱開始キー）
２１  左モード選択キー
２２、２３  左出力増減キー
２４、２５  左時間増減キー
２６  左数字表示部
２７  左出力表示部
２８  左モード表示部
２９  左設定内容表示部
３０  左モード選択指示表示部
【発明を実施するための最良の形態】
【００１６】
以下、本発明の実施形態について、図面を参照しながら説明する。なお、この実施形態によって本発明が限定されるものではない。【００１７】
１．  誘導加熱調理器の構成
本発明の実施形態における加熱調理器は、被加熱物を誘導加熱する誘導加熱調理器である。図１は、本実施形態における誘導加熱調理器の全体斜視図であり、誘導加熱調理器の一種である組み込み式誘導加熱調理器をキッチンカウンターに組み込んだ状態を示している。図１に示すように、本実施形態の誘導加熱調理器は、外郭を構成する本体１、本体１の上面に設けられ鍋などの被加熱物（図２参照）を載置する天板２、天板２の前側左に設けられた左誘導加熱部表示３、天板２の前側右に設けられた右誘導加熱部表示４、天板２の後側中央に設けられた後誘導加熱部５、加熱庫６、後誘導加熱部５及び加熱庫６の操作入力を行うための前面操作部９、及び電源スイッチ１０を有する。機器上面の天板２には、左誘導加熱部３と右誘導加熱部４をそれぞれ動作させるため操作入力を行う左上面操作部７ａと右上面操作部８ａ、左誘導加熱部表示３と右誘導加熱部表示４内で加熱される際の出力設定等の表示を行うための左上面表示７ｂ及び右上面表示８ｂが設けられている。【００１８】
図２は、図１の左誘導加熱部表示３に対応する左誘導加熱部１５の断面構成を模式的に示している。右誘導加熱部表示４に対応する右誘導加熱部（図示せず）は、同様の構成となっているため、その説明を省略する。機器内部には、天板２の下方で左誘導加熱部表示３に対向して設けられ被加熱物１２を誘導加熱するための左加熱コイル１３が設けられている。また、機器内部には左加熱コイル１３に高周波電流を供給する左インバータ１４を含む左誘導加熱部１５と、左インバータ１４の出力を制御する左制御部１６とが収納されている。左制御部１６は、被加熱物１２が所定の設定出力で加熱されるように左誘導加熱部１５を制御する加熱モードを含む複数の制御モードの中から選択された制御モードで調理されるように左誘導加熱部１５の加熱出力を制御する。本実施形態においては、制御モードとして、加熱モード以外に、温度調節モード、湯沸かしモード、および炊飯モードが選択できるようになっている。【００１９】
機器上面の天板２には、左上面操作部７ａ及び左上面表示部７ｂが設けられている。左上面表示部７ｂは、奥側の左誘導加熱部表示３と手前側の左上面操作部７ａとの間に配設されている。左制御部１６は、複数の制御モードのいずれかが選択されている場合に（例えば、本実施形態においては、加熱モードが選択されている場合に）、被加熱物１２が左上面操作部７ａで設定される設定時間だけ加熱されるように時間をカウントするタイマーを備えている。【００２０】
図３は、図１の左誘導加熱部表示３に対応する左上面操作部７ａと左上面表示部７ｂを示している。図１の右誘導加熱部表示４に対応する右上面操作部８ａと右上面表示部８ｂは、図３に示すものと同様の構成となっているため、説明を省略する。左上面操作部７ａは、以下の操作キーを備えている。すなわち、複数の制御モードの中から一つを選択するための左モード選択キー２１（当該キーには「メニュー」と文字印刷表示されている）、加熱を停止しているときに加熱を開始し加熱中であるときに加熱を停止するための左加熱切入りキー２０、加熱モードで設定する設定出力を増加することができかつ温度調節モードで設定する設定温度を高くすることができる左出力増加キー２２、前記設定出力及び設定温度を低くするための左出力減少キー２３（以下、左出力増加キー２２と左出力低減キー２３をまとめて左出力増減キー２２、２３と呼ぶ場合がある）、タイマーで加熱する時間を増加させるための左時間増加キー２４および加熱する時間を低下させるために設けられた左時間低減キー２５（以下、左時間増加キー２４、左時間低減キー２５をまとめて左時間増減キー２４、２５と呼ぶ場合がある）が図３の一点鎖線で示す左上面操作部７ａの領域内にある。左出力増加キー２２内には右方向を向いた三角印の記号表示が付され、左出力低減キー２３内には左方向を向いた三角印の記号表示が付されている。また、左時間増加キー２４内には「＋」の記号表示が付され、左出力低減キー２５内には「−」の記号表示が付されている。左時間増減キー２４、２５の下方には時間増減キーであることを示す「タイマー」の文字が印刷されている。【００２１】
図１に示す天板２は、光透過性結晶化セラミック板の裏面に明るい色の薄膜を帯状に切り欠くように印刷し、切り欠き部に黒色薄膜層を形成して光が透過する領域である黒色の上面表示部７が設けられている。上面表示部７の下方には、ＬＥＤ等の発光素子（図示せず）が設けられ、必要な表示に対応するＬＥＤを発光させることにより各表示を点灯して文字や記号を明確に識別できるようにしている。発光素子はＬＣＤや蛍光表示管で形成しても良い。印刷色も適宜決めればよい。図３に示す左上面表示部７ｂは、上面表示部７内に設けられており、選択された制御モードにおける設定値を７セグメントの表示素子を３つ並べて数値で表示する左数字表示部２６と、左数字表示部２６の上近傍に位置し左数字表示部２６で表示される数値の内容または単位などを示す左設定内容表示部２９と、保温及び１から９までの文字を点灯するセグメントを横方向に棒状に並べて設定出力を表示する左出力表示部２７と、左モード選択キー２１で順番に選択される調理モードを表示する左モード表示部２８とを備えている。【００２２】
温度調節モードのときは「加熱」の文字で表示される加熱モード表示２８ａ及び「残り」の文字で表示される残時間表示２９ａが点灯し、温度調節モードのときはフライを示す記号で表示される左温度調節モード表示２８ｂ及び「予熱」の文字で表示される予熱中表示２９ｂが点灯し、湯沸かしモードのときはやかんを示す記号で表示される湯沸かしモード表示２８ｃが点灯し、炊飯モードのときはご飯と茶碗をしめす記号で表示される炊飯モード表示２８ｄ及び「カップ」の文字で表示される炊飯量（米のカップ数）表示２９ｄが点灯する。左数字表示部２６は左時間増減キー２４、２５の上方（奥側）近傍に配置されている。左出力表示部２７は左出力増減キー２２、２３の上方（奥側）近傍に配置され、左モード選択キー２１と左時間増減キー２４、２５は左出力増減キー２２、２３の両側に配設され、左数字表示部２６と左モード表示部２８は左出力表示部２７の両側に配置されている。【００２３】
２．  誘導加熱調理器の動作
以上のように構成された誘導加熱調理器について、以下、その動作、作用を説明する。電源スイッチ１０を投入すると、逆三角印（▼）で表示される左モード選択指示表示部３０が左上面表示部７ｂ内で左モード選択キーの上方近傍で点灯し、左誘導加熱部１５について、左モード選択キー２１のみ操作することが可能となる。左モード選択指示表示部３０が点灯中であるとき、すなわち、左モード選択キー２１を操作することにより、いずれかの制御モードが選択されないと、全ての操作キーによる操作ができず、かつ左モード選択キー２１でいずれかの制御モードを選択後に、加熱開始キーである左加熱切入キー２０を操作することによってのみ加熱が開始される。したがって、不用意に加熱が開始されるのを防止することができ安全である。【００２４】
左モード選択キー２１でいずれかの制御モードを選択後において、左切入キー２０を操作する（例えば押す、以下同じ）と、左制御部１６は左インバータ１４のスイッチング素子（図示せず）のオンオフ制御を開始して加熱コイル１３に高周波電流を供給し、被加熱物１２の誘導加熱を開始する。左切入キー２０は、また、左加熱コイル１３による加熱を行っているときに加熱を停止する加熱停止キーを兼ねている。左切入キー２０は、左出力増減キー２２、２３に対して左モード選択キー２１と同じ側に設けられている。モード選択キー２１を操作して、左モード表示部２８内の左温度調節モード表示２８ｂを点灯させることにより温度調節モードを選択することができる。温度調節モードが選択された状態で加熱開始キーである左切入キー２０を操作すると、左制御部１６は、被加熱物１２が所定の設定温度になるように、被加熱物１２の温度を検知しながら左誘導加熱部１５の加熱出力を制御する。【００２５】
左モード表示部２８は、左モード選択キー２１で温度調節モードが選択されたとき温度調節モードが選択されたことを、温度調節モード表示２８ｂを点灯することで表示するが、左数字表示部２６は設定温度を表示しない。左数字表示部２６は、左モード選択キー２１を操作され温度調節モードが選択された後、左切入キー２０の操作で加熱開始がおこなわれた時点以後に、設定温度を数値表示するようにしている。このようにすることで、使用者が温度調節モードでは、左時間増減キー２４、２５が操作できないことを認識し易くすることにより使い勝手を向上させることができる。【００２６】
以上のように、左モード選択キー２１と左時間増減キー２４、２５が左出力増減キー２２、２３の部分で分離され、かつ左数字表示部２６と左モード表示部２８が左出力表示部２７の部分で分離されることにより、左モード表示部２８と左出力増減キー２２、２３との距離を、左モード表示部２８と左時間増減キー２４、２５との距離よりも短くすることにより、左時間増減キー２４、２５と、左モード選択キー２１で選択され左モード表示部２８で表示される制御モードとの視覚的な関連性を小さくするとともに、左出力増減キー２２、２３と、左モード選択キー２１で選択され左モード表示部２８で表示される制御モードとの視覚的な関連性を大きくすることができる。【００２７】
したがって、左出力増減キー２２、２３で加熱モード以外の制御モードの設定変更をおこなえることが認識しやすくなる。したがって、温度調節モードが選択されたとき、使用者が誤って左時間増減キー２４、２５を操作する可能性を少なくすることができ使い勝手を向上させることができる。【００２８】
左モード選択キー２１で制御モードを選択後において、加熱を開始するための左加熱開始キー２０を備え、左制御部１６は、被加熱物１２が所定の設定温度になるように左誘導加熱部１４の加熱出力を制御する温度調節モードで左誘導加熱部１４の加熱出力を制御することを可能とし、左モード選択キー２１は、温度調節モードを選択可能とし、左モード表示部２１は、温度調節モードが選択されると温度調節モードが選択されたことを表示し、左数字表示部２６は、温度調節モードが選択された後、左加熱開始キー２０で加熱開始がおこなわれた時点以後に、温度調節モードにおける設定温度を数値で表示することにより、さらに、左時間増減キー２４、２５と、左モード選択キー２１で選択され左モード表示部２８で表示される制御モードとの視覚的な関連性を小さくするとともに、左出力増減キー２２、２３と、左モード選択キー２１で選択され左モード表示部２８で表示される制御モードの視覚的な関連性を大きくすることができる。【００２９】
加熱開始及び加熱停止をするための左切入キー２０を左出力増減キー２２、２３に対して左モード選択キー２１側に設けたことにより、さらに、左時間増減キー２４、２５が時間調整専用であることを強調することができる。【００３０】
電源スイッチ１０を投入後、左誘導加熱部１５について、左モード選択キー２１のみ操作することが可能であり、左モード選択キー２１により、いずれかの制御モードが選択されないと、全ての操作キーによる操作ができず、かつ左モード選択キーでいずれかの制御モードを選択後に、加熱開始キーである左加熱切入キー２０を操作することによってのみ加熱が開始される構成とすることにより、電源スイッチ１０を投入後、加熱開始までに少なくとも２回の操作が必要となり安全性が向上するとともに、従来のロック解除キーを省くことができ、操作キーの数を低減することができる。【００３１】
時間増減キーを示す記号と出力増減キーを示す記号を異ならせたことにより、時間増減キーが時間調整専用であることを強調することができる。【００３２】
なお、以上の実施形態では、左時間増減キー２４、２５を時間調整専用としたが、温度調節モード時に左出力増減キー２２、２３に加え、左時間増減キー２４、２５で温度調節が可能なようにしてもよい。このような構成とすることにより、左数字表示部２６が点灯時に使用者が誤って左時間増減キー２４、２５を操作して温度設定を変える事ができるので便利である。【００３３】
また、上記実施形態では、左モード選択キー２１で温度調節モードを選択する操作をしただけでは、左数字表時２６が点灯しなかったが、左モード選択キー２１で温度調節モードを選択するだけで左数字表示部２６が点灯するようにし、かつ左出力増減キー２２、２３に加え、左時間増減キー２４、２５でも温度調節が可能なようにしてもよい。このような構成とすることにより、左加熱切入キー２０で加熱を開始する前に設定温度を左数字表示部２６に表示してその近傍の左時間増減キー２４、２５でも温度調節ができるので便利である。【００３４】
なお、本実施形態では、電源スイッチ１０が投入された後、逆三角印（▼）で表示される左モード選択指示表示部３０によって、操作可能なキーを示したが、左モード選択指示表示部３０を設ける代わりに、操作可能な左モード選択キー２１のみを点灯表示し、他のキーを消灯して見えなくなるようにしても良い。【００３５】
なお、上記実施形態では、誘導加熱式加熱調理器を例にとって説明をしたが、本発明はトッププレートを有するガス調理器にも適用することができる。
【産業上の利用可能性】
【００３６】
本発明にかかる加熱調理器は、キー操作に関する使い勝手を良くすることができるため、機器上面に操作スイッチを有する組み込み式誘導加熱調理器はもちろんのこと、組み込み式以外の据置式や卓上タイプの誘導加熱調理器、誘導加熱部が一つまたは複数のものにも適用できる。さらには、電気ヒータ加熱式、ハロゲンランプ加熱式、ガラスプレートを有するガス加熱式の加熱調理器にも適用することができる。
【図１】
2009001543.tif 000003
【図２】
2009001543.tif 000004
【図３】
2009001543.tif 000005
【手続補正書】
【提出日】平成22年1月28日(2010.1.28)
【手続補正１】
【補正対象書類名】明細書
【補正対象項目名】全文
【補正方法】変更
【補正の内容】
【発明の詳細な説明】
【技術分野】
【０００１】
本発明は、機器上面に操作部を有する加熱調理器に関する。
【背景技術】
【０００２】
従来の加熱調理器は、加熱出力の設定を変更するための出力変更部の近傍に設けられた出力表示部と、温度調節時間を増加させる機能のみを有する一つまたは複数の時間増加キーと、時間増加キーの近傍に設けられた時間表示用の数字表示部と、数字表示部の近傍に設けられた揚げ物調理時の油温を自動調節する温度調節モード等の調理モードを設定するための調理モード選択キーと、温度調節モード時の設定温度を表示する温度表示等の時間表示以外の少なくとも１つの設定値の変更を、出力増加キーおよび出力減少キーで行いその変更結果を時間表示用の数字表示部で共用しておこなうとともに、数字表示部の近傍に選択された調理モードを示すモード表示部を設けていた（例えば、特許文献１参照）。
【先行技術文献】
【特許文献】
【０００３】
【特許文献１】特開２００３−１８５１５２号公報
【発明の概要】
【発明が解決しようとする課題】
【０００４】
しかしながら、前記従来の構成では、時間増加キーが時間の増加方向にしか調節できないため、使い勝手が悪かった。この問題を解消するために、時間を低減する機能を有するキーを追加することが考えられる。例えば、一組の設定時間を増加するための時間増加キー及び設定時間を低減するための時間低減キー（以下「時間増減キー」ともいう）を設ける場合が考えられる。
【０００５】
しかし、時間増減キーを設けると、温度調節モード等のタイマーで時間設定ができない調理モードが選択された場合、モード表示部が数字表示部の近傍にあるために、時間増減キーを使用して時間設定ができる、と誤って認識される可能性が高いという問題点があった。
【０００６】
また、時間増加キーを時間変更専用とする代わりに、設定温度の変更を時間増減キーで共用することが考えられる。しかし、この場合、時間増減と出力変更のいずれが機能するかがわからなくなり使用者をさらに混乱させるおそれがあった。
【０００７】
このように、従来の加熱調理器は、キー操作に関して使い勝手が悪かった。
【０００８】
本発明は、前記従来の課題を解決するものであり、キー操作に関して使い勝手が良い加熱調理器を提供することを目的とする。例えば、キーの総数を減らしキー構成を簡素化し、さらにタイマー増減キーがタイマー機能専用のものであることを視認し易くする。
【課題を解決するための手段】
【０００９】
従来の課題を解決するため、本発明の加熱調理器は、機器上面に設けられた天板と、天板上に載置された被加熱物を加熱する加熱部と、被加熱物が所定の設定出力で加熱されるように加熱部を制御する加熱モードを含む複数の制御モードの中から選択された制御モードで調理されるように加熱部の加熱出力を制御する制御部と、機器上面に設けられた操作部及び表示部と、複数の制御モードのいずれかにおいて所定の設定時間加熱されるように時間をカウントするタイマーとを備える。操作部は、複数の制御モードの中から一つを選択するためのモード選択キーと、設定出力及び設定温度を増加及び低下させるために設けられた出力増減キーと、タイマーで加熱する時間を増加及び低下させるために設けられた時間増減キーとを備える。表示部は、選択された制御モードにおける設定値を数値で表示する数字表示部と、設定出力を表示する出力表示部と、モード選択キーで選択される調理モードを表示するモード表示部とを備える。数字表示部は時間増減キーの近傍に配置され、出力表示部は出力増減キーの近傍に配置され、モード選択キーと時間増減キーを出力増減キーの両側に配設し、数字表示部とモード表示部が出力表示部の両側に配置される。これにより、モード選択キーと時間増減キーが出力増減キーの部分で分離され、かつ数字表示部とモード表示部が出力表示部の部分で分離される。よって、モード表示部と出力増減キーとの距離を、モード表示部と時間増減キーとの距離よりも短くなる。そのため、時間増減キーと、モード選択キーで選択されモード表示部で表示される制御モードとの視覚的な関連性を小さくするとともに、出力増減キーと、モード選択キーで選択されモード表示部で表示される制御モードの視覚的な関連性を大きくすることができる。したがって、出力増減キーで加熱モード以外の制御モードの設定変更をおこなえることが認識しやすくなる。したがって、温度調節モードが選択されたとき、使用者が誤って時間増減キーを操作する可能性を少なくすることができ使い勝手を向上させることができる。
【００１０】
操作部は、加熱開始キーをさらに備えてもよい。制御部は、複数の制御モードのうちいずれかをモード選択キーで選択後に、加熱開始キーを操作した場合のみ加熱部の加熱を開始可能してもよい。被加熱物が所定の設定温度になるように加熱部の加熱出力を制御する制御モードである温度調節モードを有し、モード選択キーにより温度調節モードが選択されると温度調節モードが選択されたことをモード表示部に表示し、温度調節モードが選択された後、加熱開始キーで加熱開始がおこなわれた時点以後に、温度調節モードにおける設定温度を数字表示部に表示して出力増減キーにより設定温度を変更してもよい。これにより、モード選択キーで選択されモード表示部で表示される制御モードにおける、時間増減キーと、数字表示部の表示との関連性を視覚的に低くし、使用者に時間増減キーが当該選択された制御モードで使用できないことをさらに強く認識させることができる。
【００１１】
加熱開始及び加熱停止をするための切入キーを出力増減キーに対してモード選択キー側に設けてもよい。これにより、さらに、時間増減キーが時間調整専用であることを強調することができる。
【００１２】
加熱調理器は、電源スイッチと、加熱を開始するための加熱開始キーをさらに備えてもよい。電源投入後、モード選択キーのみ操作することが可能とし、モード選択キーにより、いずれかの制御モードが選択されるまでは、モード選択キー以外の操作キーによる操作ができず、かつモード選択キーでいずれかの制御モードを選択後に、加熱開始キーを操作することが加熱部での加熱が開始される必要条件としてもよい。電源投入後、加熱開始までに少なくとも２回の操作が必要となり安全性が向上するとともに、従来のロック解除キーを省くことができ、操作キーの数を低減することができる。
【００１３】
時間増減キーを示す記号と出力増減キーを示す記号を異ならせてもよい。これにより、時間増減キーが時間調整専用であることを強調することができる。
【発明の効果】
【００１４】
本発明によれば、時間設定のできない調理モードにおける設定数値の表示とタイマー設定時間の表示を共通の数字表示部で行うことにより、数字表示部を簡素化している。また、設定タイマーの時間設定を増減できるようにして時間設定を容易にしている。また、タイマー設定ができ加熱出力を設定するための加熱モードとタイマー設定ができない調理モードを含む複数の調理モードの選択を一つのキーでおこない、設定時間の変更以外の設定の変更を出力増減キーでおこなうようにしてキーの総数を減らしキー構成を簡素化している。さらに、タイマー増減キーがタイマー機能専用のものであることを視認し易くしている。よって、キー操作に関して使い勝手がよい。
【図面の簡単な説明】
【００１５】
【図１】本発明の実施形態における誘導加熱調理器の斜視図
【図２】同誘導加熱調理器の模式断面図
【図３】同誘導加熱調理器の要部平面図
【発明を実施するための形態】
【００１６】
以下、本発明の実施形態について、図面を参照しながら説明する。なお、この実施形態によって本発明が限定されるものではない。
【００１７】
１．  誘導加熱調理器の構成
本発明の実施形態における加熱調理器は、被加熱物を誘導加熱する誘導加熱調理器である。図１は、本実施形態における誘導加熱調理器の全体斜視図であり、誘導加熱調理器の一種である組み込み式誘導加熱調理器をキッチンカウンターに組み込んだ状態を示している。図１に示すように、本実施形態の誘導加熱調理器は、外郭を構成する本体１、本体１の上面に設けられ鍋などの被加熱物（図２参照）を載置する天板２、天板２の前側左に設けられた左誘導加熱部表示３、天板２の前側右に設けられた右誘導加熱部表示４、天板２の後側中央に設けられた後誘導加熱部５、加熱庫６、後誘導加熱部５及び加熱庫６の操作入力を行うための前面操作部９、及び電源スイッチ１０を有する。機器上面の天板２には、左誘導加熱部３と右誘導加熱部４をそれぞれ動作させるため操作入力を行う左上面操作部７ａと右上面操作部８ａ、左誘導加熱部表示３と右誘導加熱部表示４内で加熱される際の出力設定等の表示を行うための左上面表示７ｂ及び右上面表示８ｂが設けられている。
【００１８】
図２は、図１の左誘導加熱部表示３に対応する左誘導加熱部１５の断面構成を模式的に示している。右誘導加熱部表示４に対応する右誘導加熱部（図示せず）は、同様の構成となっているため、その説明を省略する。機器内部には、天板２の下方で左誘導加熱部表示３に対向して設けられ被加熱物１２を誘導加熱するための左加熱コイル１３が設けられている。また、機器内部には左加熱コイル１３に高周波電流を供給する左インバータ１４を含む左誘導加熱部１５と、左インバータ１４の出力を制御する左制御部１６とが収納されている。左制御部１６は、被加熱物１２が所定の設定出力で加熱されるように左誘導加熱部１５を制御する加熱モードを含む複数の制御モードの中から選択された制御モードで調理されるように左誘導加熱部１５の加熱出力を制御する。本実施形態においては、制御モードとして、加熱モード以外に、温度調節モード、湯沸かしモード、および炊飯モードが選択できるようになっている。
【００１９】
機器上面の天板２には、左上面操作部７ａ及び左上面表示部７ｂが設けられている。左上面表示部７ｂは、奥側の左誘導加熱部表示３と手前側の左上面操作部７ａとの間に配設されている。左制御部１６は、複数の制御モードのいずれかが選択されている場合に（例えば、本実施形態においては、加熱モードが選択されている場合に）、被加熱物１２が左上面操作部７ａで設定される設定時間だけ加熱されるように時間をカウントするタイマーを備えている。
【００２０】
図３は、図１の左誘導加熱部表示３に対応する左上面操作部７ａと左上面表示部７ｂを示している。図１の右誘導加熱部表示４に対応する右上面操作部８ａと右上面表示部８ｂは、図３に示すものと同様の構成となっているため、説明を省略する。左上面操作部７ａは、以下の操作キーを備えている。すなわち、複数の制御モードの中から一つを選択するための左モード選択キー２１（当該キーには「メニュー」と文字印刷表示されている）、加熱を停止しているときに加熱を開始し加熱中であるときに加熱を停止するための左加熱切入りキー２０、加熱モードで設定する設定出力を増加することができかつ温度調節モードで設定する設定温度を高くすることができる左出力増加キー２２、前記設定出力及び設定温度を低くするための左出力減少キー２３（以下、左出力増加キー２２と左出力低減キー２３をまとめて左出力増減キー２２、２３と呼ぶ場合がある）、タイマーで加熱する時間を増加させるための左時間増加キー２４および加熱する時間を低下させるために設けられた左時間低減キー２５（以下、左時間増加キー２４、左時間低減キー２５をまとめて左時間増減キー２４、２５と呼ぶ場合がある）が図３の一点鎖線で示す左上面操作部７ａの領域内にある。左出力増加キー２２内には右方向を向いた三角印の記号表示が付され、左出力低減キー２３内には左方向を向いた三角印の記号表示が付されている。また、左時間増加キー２４内には「＋」の記号表示が付され、左出力低減キー２５内には「−」の記号表示が付されている。左時間増減キー２４、２５の下方には時間増減キーであることを示す「タイマー」の文字が印刷されている。
【００２１】
図１に示す天板２は、光透過性結晶化セラミック板の裏面に明るい色の薄膜を帯状に切り欠くように印刷し、切り欠き部に黒色薄膜層を形成して光が透過する領域である黒色の上面表示部７が設けられている。上面表示部７の下方には、ＬＥＤ等の発光素子（図示せず）が設けられ、必要な表示に対応するＬＥＤを発光させることにより各表示を点灯して文字や記号を明確に識別できるようにしている。発光素子はＬＣＤや蛍光表示管で形成しても良い。印刷色も適宜決めればよい。図３に示す左上面表示部７ｂは、上面表示部７内に設けられており、選択された制御モードにおける設定値を７セグメントの表示素子を３つ並べて数値で表示する左数字表示部２６と、左数字表示部２６の上近傍に位置し左数字表示部２６で表示される数値の内容または単位などを示す左設定内容表示部２９と、保温及び１から９までの文字を点灯するセグメントを横方向に棒状に並べて設定出力を表示する左出力表示部２７と、左モード選択キー２１で順番に選択される調理モードを表示する左モード表示部２８とを備えている。
【００２２】
温度調節モードのときは「加熱」の文字で表示される加熱モード表示２８ａ及び「残り」の文字で表示される残時間表示２９ａが点灯し、温度調節モードのときはフライを示す記号で表示される左温度調節モード表示２８ｂ及び「予熱」の文字で表示される予熱中表示２９ｂが点灯し、湯沸かしモードのときはやかんを示す記号で表示される湯沸かしモード表示２８ｃが点灯し、炊飯モードのときはご飯と茶碗をしめす記号で表示される炊飯モード表示２８ｄ及び「カップ」の文字で表示される炊飯量（米のカップ数）表示２９ｄが点灯する。左数字表示部２６は左時間増減キー２４、２５の上方（奥側）近傍に配置されている。左出力表示部２７は左出力増減キー２２、２３の上方（奥側）近傍に配置され、左モード選択キー２１と左時間増減キー２４、２５は左出力増減キー２２、２３の両側に配設され、左数字表示部２６と左モード表示部２８は左出力表示部２７の両側に配置されている。
【００２３】
２．  誘導加熱調理器の動作
以上のように構成された誘導加熱調理器について、以下、その動作、作用を説明する。電源スイッチ１０を投入すると、逆三角印（▼）で表示される左モード選択指示表示部３０が左上面表示部７ｂ内で左モード選択キーの上方近傍で点灯し、左誘導加熱部１５について、左モード選択キー２１のみ操作することが可能となる。左モード選択指示表示部３０が点灯中であるとき、すなわち、左モード選択キー２１を操作することにより、いずれかの制御モードが選択されないと、全ての操作キーによる操作ができず、かつ左モード選択キー２１でいずれかの制御モードを選択後に、加熱開始キーである左加熱切入キー２０を操作することによってのみ加熱が開始される。したがって、不用意に加熱が開始されるのを防止することができ安全である。
【００２４】
左モード選択キー２１でいずれかの制御モードを選択後において、左切入キー２０を操作する（例えば押す、以下同じ）と、左制御部１６は左インバータ１４のスイッチング素子（図示せず）のオンオフ制御を開始して加熱コイル１３に高周波電流を供給し、被加熱物１２の誘導加熱を開始する。左切入キー２０は、また、左加熱コイル１３による加熱を行っているときに加熱を停止する加熱停止キーを兼ねている。左切入キー２０は、左出力増減キー２２、２３に対して左モード選択キー２１と同じ側に設けられている。モード選択キー２１を操作して、左モード表示部２８内の左温度調節モード表示２８ｂを点灯させることにより温度調節モードを選択することができる。温度調節モードが選択された状態で加熱開始キーである左切入キー２０を操作すると、左制御部１６は、被加熱物１２が所定の設定温度になるように、被加熱物１２の温度を検知しながら左誘導加熱部１５の加熱出力を制御する。
【００２５】
左モード表示部２８は、左モード選択キー２１で温度調節モードが選択されたとき温度調節モードが選択されたことを、温度調節モード表示２８ｂを点灯することで表示するが、左数字表示部２６は設定温度を表示しない。左数字表示部２６は、左モード選択キー２１を操作され温度調節モードが選択された後、左切入キー２０の操作で加熱開始がおこなわれた時点以後に、設定温度を数値表示するようにしている。このようにすることで、使用者が温度調節モードでは、左時間増減キー２４、２５が操作できないことを認識し易くすることにより使い勝手を向上させることができる。
【００２６】
以上のように、左モード選択キー２１と左時間増減キー２４、２５が左出力増減キー２２、２３の部分で分離され、かつ左数字表示部２６と左モード表示部２８が左出力表示部２７の部分で分離されることにより、左モード表示部２８と左出力増減キー２２、２３との距離を、左モード表示部２８と左時間増減キー２４、２５との距離よりも短くすることにより、左時間増減キー２４、２５と、左モード選択キー２１で選択され左モード表示部２８で表示される制御モードとの視覚的な関連性を小さくするとともに、左出力増減キー２２、２３と、左モード選択キー２１で選択され左モード表示部２８で表示される制御モードとの視覚的な関連性を大きくすることができる。
【００２７】
したがって、左出力増減キー２２、２３で加熱モード以外の制御モードの設定変更をおこなえることが認識しやすくなる。したがって、温度調節モードが選択されたとき、使用者が誤って左時間増減キー２４、２５を操作する可能性を少なくすることができ使い勝手を向上させることができる。
【００２８】
左モード選択キー２１で制御モードを選択後において、加熱を開始するための左加熱開始キー２０を備え、左制御部１６は、被加熱物１２が所定の設定温度になるように左誘導加熱部１４の加熱出力を制御する温度調節モードで左誘導加熱部１４の加熱出力を制御することを可能とし、左モード選択キー２１は、温度調節モードを選択可能とし、左モード表示部２１は、温度調節モードが選択されると温度調節モードが選択されたことを表示し、左数字表示部２６は、温度調節モードが選択された後、左加熱開始キー２０で加熱開始がおこなわれた時点以後に、温度調節モードにおける設定温度を数値で表示することにより、さらに、左時間増減キー２４、２５と、左モード選択キー２１で選択され左モード表示部２８で表示される制御モードとの視覚的な関連性を小さくするとともに、左出力増減キー２２、２３と、左モード選択キー２１で選択され左モード表示部２８で表示される制御モードの視覚的な関連性を大きくすることができる。
【００２９】
加熱開始及び加熱停止をするための左切入キー２０を左出力増減キー２２、２３に対して左モード選択キー２１側に設けたことにより、さらに、左時間増減キー２４、２５が時間調整専用であることを強調することができる。
【００３０】
電源スイッチ１０を投入後、左誘導加熱部１５について、左モード選択キー２１のみ操作することが可能であり、左モード選択キー２１により、いずれかの制御モードが選択されないと、全ての操作キーによる操作ができず、かつ左モード選択キーでいずれかの制御モードを選択後に、加熱開始キーである左加熱切入キー２０を操作することによってのみ加熱が開始される構成とすることにより、電源スイッチ１０を投入後、加熱開始までに少なくとも２回の操作が必要となり安全性が向上するとともに、従来のロック解除キーを省くことができ、操作キーの数を低減することができる。
【００３１】
時間増減キーを示す記号と出力増減キーを示す記号を異ならせたことにより、時間増減キーが時間調整専用であることを強調することができる。
【００３２】
なお、以上の実施形態では、左時間増減キー２４、２５を時間調整専用としたが、温度調節モード時に左出力増減キー２２、２３に加え、左時間増減キー２４、２５で温度調節が可能なようにしてもよい。このような構成とすることにより、左数字表示部２６が点灯時に使用者が誤って左時間増減キー２４、２５を操作して温度設定を変える事ができるので便利である。
【００３３】
また、上記実施形態では、左モード選択キー２１で温度調節モードを選択する操作をしただけでは、左数字表時２６が点灯しなかったが、左モード選択キー２１で温度調節モードを選択するだけで左数字表示部２６が点灯するようにし、かつ左出力増減キー２２、２３に加え、左時間増減キー２４、２５でも温度調節が可能なようにしてもよい。このような構成とすることにより、左加熱切入キー２０で加熱を開始する前に設定温度を左数字表示部２６に表示してその近傍の左時間増減キー２４、２５でも温度調節ができるので便利である。
【００３４】
なお、本実施形態では、電源スイッチ１０が投入された後、逆三角印（▼）で表示される左モード選択指示表示部３０によって、操作可能なキーを示したが、左モード選択指示表示部３０を設ける代わりに、操作可能な左モード選択キー２１のみを点灯表示し、他のキーを消灯して見えなくなるようにしても良い。
【００３５】
なお、上記実施形態では、誘導加熱式加熱調理器を例にとって説明をしたが、本発明はトッププレートを有するガス調理器にも適用することができる。
【産業上の利用可能性】
【００３６】
本発明にかかる加熱調理器は、キー操作に関する使い勝手を良くすることができるため、機器上面に操作スイッチを有する組み込み式誘導加熱調理器はもちろんのこと、組み込み式以外の据置式や卓上タイプの誘導加熱調理器、誘導加熱部が一つまたは複数のものにも適用できる。さらには、電気ヒータ加熱式、ハロゲンランプ加熱式、ガラスプレートを有するガス加熱式の加熱調理器にも適用することができる。
【符号の説明】
【００３７】
１  本体
２  天板
３  左誘導加熱部表示
４  右誘導加熱部表示
７ａ  左上面操作部
７ｂ  左上面表示部
８ａ  右上面操作部
８ｂ  右上面表示部
１０  電源スイッチ
１２  被加熱物
１３  左加熱コイル
１４  左インバータ
１５  左誘導加熱部
１６  左制御部
２０  左切入キー（加熱開始キー）
２１  左モード選択キー
２２、２３  左出力増減キー
２４、２５  左時間増減キー
２６  左数字表示部
２７  左出力表示部
２８  左モード表示部
２９  左設定内容表示部
３０  左モード選択指示表示部
【手続補正２】
【補正対象書類名】特許請求の範囲
【補正対象項目名】全文
【補正方法】変更
【補正の内容】
【特許請求の範囲】
【請求項１】
機器上面に設けられた天板と、
前記被加熱物を加熱する加熱部と、
前記被加熱物が所定の設定出力で加熱されるように前記加熱部を制御する加熱モードを含む複数の制御モードの中から選択された制御モードで調理されるように前記加熱部の加熱出力を制御する制御部と、
機器上面に設けられた操作部と、
機器上面に設けられた表示部と、
前記複数の制御モードのいずれかにおいて所定の設定時間加熱されるように時間をカウントするタイマーと、
を備え、
前記操作部は、
前記複数の制御モードの中から一つを選択するためのモード選択キーと、
前記設定出力及び設定温度を増加及び低下させるために設けられた出力増減キーと、
前記タイマーで加熱する時間を増加及び低下させるために設けられた時間増減キーと、
を備え、
前記表示部は、選択された前記制御モードにおける設定値を数値で表示する数字表示部と、
前記設定出力を表示する出力表示部と、
前記モード選択キーで選択される調理モードを表示するモード表示部と、
を備え、
前記数字表示部は前記時間増減キーの近傍に配置され、前記出力表示部は前記出力増減キーの近傍に配置され、前記モード選択キーと前記時間増減キーを前記出力増減キーの両側に配設し、前記数字表示部と前記モード表示部が前記出力表示部の両側に配置されるようにした加熱調理器。
【請求項２】
前記操作部は、加熱開始キーをさらに備え、
前記制御部は、複数の制御モードのうちいずれかをモード選択キーで選択後に、前記加熱開始キーを操作した場合のみ前記加熱部の加熱を開始可能とするとともに、
被加熱物が所定の設定温度になるように前記加熱部の加熱出力を制御する制御モードである温度調節モードを有し、
前記モード選択キーにより前記温度調節モードが選択されると前記温度調節モードが選択されたことを前記モード表示部に表示し、前記温度調節モードが選択された後、前記加熱開始キーで加熱開始がおこなわれた時点以後に、前記温度調節モードにおける設定温度を前記数字表示部に表示して前記出力増減キーにより前記設定温度を変更可能とする、請求項１に記載の加熱調理器。
【請求項３】
加熱開始及び加熱停止をするための切入キーを前記出力増減キーに対して前記モード選択キー側に設けた請求項１に記載の加熱調理器。
【請求項４】
電源スイッチと、加熱を開始するための加熱開始キーと、をさらに備え、
前記電源投入後、前記モード選択キーのみ操作することが可能であり、
前記モード選択キーにより、いずれかの制御モードが選択されるまでは、前記モード選択キー以外の操作キーによる操作ができず、かつ
前記モード選択キーでいずれかの制御モードを選択後に、前記加熱開始キーを操作することが、前記加熱部での加熱が開始される必要条件である、請求項１に記載の加熱調理器。
【請求項５】
前記時間増減キーを示す記号と前記出力増減キーを示す記号を異ならせた、請求項１から請求項４のいずれかの請求項に記載の加熱調理器。
【手続補正３】
【補正対象書類名】図面
【補正対象項目名】全図
【補正方法】変更
【補正の内容】
【図１】
2009001543.tif 000006
【図２】
2009001543.tif 000007
【図３】
2009001543.tif 000008
【国際調査報告】
2009001543.tif 000009
2009001543.tif 000010
2009001543.tif 000011
2009001543.tif 000012